(57)【要約】【課題】  筐体の設置場所を少なくできる取付構造を提供する。【解決手段】  実施形態は、ラックと筐体とを備える筐体の取付構造、筐体、取付方法である。ここで、ラックは、一対の支柱により構成される。筐体は、前面が長方形の形状をしており、前記長方形の長辺が縦方向となるように配置する垂直配置による取付方法と、前記長方形の長辺が横方向となるように配置する水平配置の両方の設置が可能な形状となっている。筐体は、ラックに対して、水平設置と垂直設置の両方が可能となる。【選択図】図１
2013254799.tif 000002
【特許請求の範囲】
【請求項１】
一対の支柱により構成されるラックと、
前面が長方形であり、前記長方形の長辺を縦方向とする垂直配置、または前記長方形の
長辺が横方向となる水平配置の両方の設置方法が可能な筐体と、
を備える筐体の取付構造。
【請求項２】
前記筐体は、前記長方形の長辺の長さが前記一対の支柱の幅より短く、かつ短辺の長さ
のほぼ整数倍の長さである
請求項１記載の筐体の取付構造。
【請求項３】
前記ラックの一対の支柱の間隔の長さと、筐体の長辺の短辺の長さの差は、前記筐体の
短辺の長さより短い
請求項２記載の筐体の取付構造。
【請求項４】
前記筐体の垂直設置の時は、底板にガイドレールを有する垂直設置用固定具を使用して
取り付ける請求項１記載の筐体の取付構造
【請求項５】
前記筐体は、電子機器であり、
前記垂直設置用固定具の底板は、筐体に電源を供給するＡＣアダプターを収容する収容
構造を有する請求項４記載の筐体の取付構造。
【請求項６】
前記垂直設置用固定具は、前記筐体が前面に飛び出さないようにするためのストッパー
を有する請求項４記載の筐体の取付構造
【請求項７】
前記筐体を水平設置する場合、長辺方向を延長する水平設置用固定具を介して、ラック
の支柱に取り付けを行う、請求項１記載の筐体の取付構造。
【請求項８】
一対の支柱により構成されるラックに取付可能な筐体であって、
前面が長方形で、前記長方形の長辺を縦方向とする垂直配置、または前記長方形の長辺
が横方向となる水平配置の両方の設置方法が可能な筐体。
【請求項９】
前記筐体は、前記長方形の長辺の長さが前記一対の支柱の幅より短く、かつ短辺の長さ
のほぼ整数倍の長さである
請求項８記載の筐体。
【請求項１０】
前記筐体を取付けるラックの一対の支柱の間隔の長さと、前記筐体の長辺の短辺の長さ
の差は、前記筐体の短辺の長さより短い
請求項９記載の電子筐体。
【請求項１１】
一対の支柱により構成されるラックに、前面が長方形の筐体を取り付ける取付方法であ
って、
前記筐体を長方形の長辺を縦方向とする垂直配置する場合は、垂直設置用固定具を前記
ラックの一対の支柱を水平方向に接続して、この垂直設置用固定具に、前記筐体を前記長
方形の長辺が縦方向となるように設置し、
前記筐体を長方形の長辺が横方向になる水平方向に設置する場合は、
長辺方向を延長する水平設置用固定具を前記筐体に取り付け、この水平設置用固定具をラ
ックの支柱に取り付けを行う
を備える筐体の取付方法。
【請求項１２】
前記筐体は、前記長方形の長辺の長さが前記一対の支柱の幅より短く、かつ短辺の長さ
のほぼ整数倍の長さである
請求項１１記載の筐体の取付方法。
【請求項１３】
前記ラックの一対の支柱の間隔の長さと、筐体の長辺の短辺の長さの差は、前記筐体の
短辺の長さより短い
請求項１２記載の筐体の取付方法。
【請求項１４】
前記垂直設置用固定具は、ガイドレールを有する底板を有する固定具である請求項１１
記載の筐体の取付方法
【請求項１５】
前記筐体は、電子機器であり、
前記垂直設置用固定具は、底板に筐体に電源を供給するＡＣアダプターを収容する収容
構造を有している請求項１４記載の筐体の取付方法。
【請求項１６】
前記垂直設置用固定具は、前記筐体が前面に飛び出さないようにするためのストッパー
を有する請求項１４記載の筐体の取付方法
【発明の詳細な説明】
【技術分野】
【０００１】
本発明の実施形態は、ラックに複数の筐体をラックに取付場合の、取付構造、筐体、及
び取付方法に関する。
【背景技術】
【０００２】
一般にサーバや電話システムのおける交換機等の電子機器は、容量によりその形状、お
よび大きさは様々である。
【０００３】
これらの電子機器を収容する場合、所定の幅を有する搭載可能な収容箱（ラック）に、
使用したい容量（例えば、サーバの処理能力や、電話用の交換機の場合は、使用可能な回
線数等）に応じて、同様な形状の複数の電子機器を、水平方向に積層して、固定具により
、ラックに固定して設置することが多い。
【先行技術文献】
【特許文献】
【０００４】
【特許文献１】特開２００３−２６４３８５号公報
【発明の概要】
【発明が解決しようとする課題】
【０００５】
一方、電子機器は、例えば小型化していく傾向があり、前記ラックの所定の幅よりも、
幅の狭い電子機器も検討されている。このようなラックの幅よりも幅が狭い電子機器をラ
ックに収容する場合、幅の狭さを補う固定具を用いて設置することが考えられる。しかし
ながら、電子筐体の個数が多くなると、全体として、設置面積が広くなってしまう。
【０００６】
本発明は、設置個数が多くなった場合でも、収容体積の増加を抑えられる筐体の取付構
造、筐体を提供することを目的とする。
【課題を解決するための手段】
【０００７】
実施形態の電子筐体は、ラックと筐体とを備える筐体の取付構造である。ここで、ラッ
クは、一対の支柱により構成される。筐体は、前面が長方形であり、前記長方形の長辺を
縦方向とする垂直配置、または前記長方形の長辺が横方向となる水平配置の両方の設置が
可能な形状となっている。
【図面の簡単な説明】
【０００８】
【図１】本実施形態にかかる筐体の据付構造を説明するための図。
【図２】筐体を垂直設置するための垂直設置用固定具の構成を示す図。
【図３】筐体１の正面図。
【図４】筐体１の斜視図。
【図５】筐体１を逆さまにした状態の斜視図。
【図６】垂直設置用固定具の底板のガイドレールの拡大図。
【図７】垂直設置により筐体を６台収納した状態の図。
【図８】垂直設置用固定具の底板の筐体ストッパーの詳細図。
【図９】筐体ストッパーの固定部の拡大図。
【図１０】垂直設置用固定具に形成された溝の拡大図。
【図１１】垂直設置用固定具により１９インチラックに取り付けた図。
【図１２】筐体を背面から見た斜視図。
【図１３】筐体を水平方向に設置した図である
【図１４】水平方向に４台の筐体１を取り付けた状態の図。
【発明を実施するための形態】
【０００９】
以下、図を参照して、実施形態について説明する。
【００１０】
図１は、本実施形態にかかる筐体の据付構造を説明するための図である。
【００１１】
図１において、本実施の形態では、筐体１は、水平設置と垂直設置の両方が可能となっ
ている。ここで、ラックの一対の支柱２、３は、縦方向に伸びており、その間隔の一例と
しては、間隔が１９インチ（約４８０ｍｍ程度）である１９インチラックが有名である。
本実施形態にかかる筐体１は、例えば、ＩＰ電話のセッション設定を行う呼制御サーバで
あり、略直方体の外観を有している。なお、本実施例の筐体１は、呼制御サーバに限られ
ず、一般のサーバや、その他の電子機器でもよい。更に、電子機器に限られず、全面の形
状が略四角形の外観を有しているものであれば、何でもよい。
【００１２】
ここで、本実施の形態では、６台の筐体１を垂直設置した場合と、４台の筐体１を水平
設置した場合の高さが、ほぼ同じ高さになっている。
【００１３】
図１の上段は、６個の筐体１を垂直設置した場合の構造を示す図である。垂直設置の場
合は、左右一対に等間隔に穴のあけられたラックの支柱２、３を水平に接続するように、
垂直設置用の固定具１０が取り付けられ、この水平設置用固定具に、筐体１を固定する。
【００１４】
一方、図１の下段は、４台の筐体１を水平設置した場合の構成である。ここで、水平設
置の場合は、筐体１の横幅が、ラック１２の支柱の間隔よりも短いため、筐体１の左右に
水平設置用の固定具３１、３２を取付け、この固定具を介して、ラックの支柱２，３に取
り付けられている。
【００１５】
以下、図２乃至図１４を用いて、筐体の取り付け構造について詳細に説明していく。
【００１６】
図２はラックに筐体１を垂直設置するためにの垂直設置用固定具１０の構成を示す図で
ある。
【００１７】
図について、１１は筐体１を乗せる底板、１２は固定具の側板、１３は１９インチラッ
クに取り付けるためのフランジ、１３ａは１９インチラックに固定するためのネジ穴、１
４は筐体が挿入されるガイドレール、１５は挿入された筐体の背面位置決めガイド、１６
はＡＣアダプターの前面の位置決めのための位置決めガイド、１７はＡＣアダプターを固
定するためのバンド、１８はＡＣアダプターの側面の位置決めガイドでである、ここで、
位置決めガイド１８にはバンド１７を通すための穴が形成されている。１９はＡＣアダプ
ターの背面の位置決めガイド、２０は筐体が固定具から抜けないように筐体前面を押さえ
る筐体ストッパーである。
【００１８】
次に、図３は筐体１の正面図である。
【００１９】
図において、筐体１の正面はほぼ長方形の形状をしている。ここで長方形の長辺の長さ
は、短辺の長さのほぼ整数倍となるように構成されている。ここで、「ほぼ整数倍」とし
たのは、水平設置の場合に、放熱等の都合から各筐体１の間の隙間を設ける場合も考えら
れるため、この隙間も考慮した長さの比が、整数倍に近いという意味であり、長さの比が
厳密に整数倍という意味ではない。つまり、複数（本実施の形態では４つ）の筐体１を水
平設置した時の高さと、垂直設置した時の高さが、同じ高さとなるように、寸法が決めら
れている。本実施の形態では、４個の筐体１を設置した水平設置の場合の高さと、垂直設
置の場合の高さが同じになるように設定されているため、長辺と短辺の比は、ほぼ４：１
となっている。
【００２０】
本実施の形態における寸法の一例は、以下のようにすることができる。
【００２１】
垂直設置用固定具の側板の間隔（ｄ）＝４５０ｍｍ
筐体１の短辺（ａ）  ＝  ６０ｍｍ
筐体１の長辺（ｂ）  ＝  ２４０ｍｍ
このような寸法を取ることにより、以下の関係が成りなっている。
【００２２】
垂直設置用固定具の側板の間隔（ｄ）＞長辺（ｂ）    式（１）
短辺（ａ）：長辺（ｂ）≒４：１                      式（２）
６×ａ  ＜  ｄ                                    式（３）
ここで、式（１）は、筐体１の長辺が垂直設置用固定具の間隔より狭いことを示してい
る。式（２）は、筐体１の長辺と短辺の比が、ほぼ４：１であることを示している。式（
２）より筐体１を水平に４つを設置した場合と、垂直に設置した場合とで、ほぼ同じ高さ
となることを示している。式（３）は、筐体１を垂直設置した場合に、６つが収容できる
ことを示している。
【００２３】
従って、４個の筐体１を水平設置の場合の高さで、６個の筐体１を垂直に設置すること
が出来る。
【００２４】
図３に戻って、筐体１を垂直設置する場合に下側になる一方の短辺側には、固定具のガ
イドレール１４と勘合するガイド板４が取り付けられている。ガイド板４の幅は、筐体１
の短辺の長さより若干広くなっており、筐体１にガイド板４を取り付けた時に、両方の端
部がガイド部４ａとなる。
【００２５】
図４は筐体１の斜視図である。
【００２６】
図において、ガイド部４aが、垂直設置用固定具１０の底板１１に設けられたガイドレ
ール１４と勘合する。
【００２７】
図５は筐体１を逆さまにした状態の斜視図である。
【００２８】
図において、ガイド板４はネジ５により筐体１に固定されており、ガイド板４からは突
出しない位置関係にある。
【００２９】
図６は垂直設置用固定具１０の底板に設けられたガイドレール１４の拡大図である。図
において、Ｌ字形に形成された１４ａが筐体ガイド板４のガイド部４ａと勘合し、筐体の
上下方向と左右方向の位置決めとなる。
【００３０】
図７は垂直設置用固定具１０に筐体１を、垂直設置により６台収納した状態の図である
。
【００３１】
図８は垂直設置用固定具１０の底板に設けられた筐体ストッパー２０の詳細図である。
【００３２】
図において、２０ａが筐体を押さえる突起。２０ｂが筐体ストッパーを左右にスライド
させるためのツマミである。
【００３３】
図９は筐体ストッパー２０の固定部の拡大図である。
【００３４】
図において、２１は筐体ストッパー２０を垂直設置用固定具１０へ固定するためのネジ
。２２は筐体ストッパー１０に形成された長穴であり、ネジ２１のネジ部より大きく、ネ
ジ２１のネジ頭より小さい幅で形成されている。
【００３５】
図１０は筐体ストッパー２０が勘合するように垂直設置用固定具１０に形成された溝２
２の拡大図である。図において、筐体ストッパー２０が垂直設置用固定具１０の底板１１
の面より突出しない深さに形成されている。２４は筐体ストッパー２０のネジ２１がねじ
込まれるネジ穴である。
【００３６】
筐体ストッパー２０の動作は、ネジ２１を緩めることで筐体ストッパー２０が溝２３に
沿ってスライド可能となる。この状態で、長穴２２の左端がネジ２１にぶつかるまでスラ
イドさせれば、突起２０aが筐体前面から外れる位置まで動く。逆に、長穴２２の右端が
ネジ２１にぶつかるまでスライドさせれば、突起２０ａが筐体前面を押さえる位置まで動
き、ネジ２１を締めることで筐体ストッパー２０の位置を固定する。
【００３７】
図１１は垂直設置用固定具１０により１９インチラックに取り付けた図である。図にお
いて、突起２０ａが筐体１の前面を押さえる位置まで筐体ストッパー２０を動かして固定
された状態の図である。
【００３８】
この状態で筐体１はガイドレール４により上下左右方向を固定され、背面位置決めガイ
ドにより後方向を固定され、筐体ストッパー２０により前方向を固定される。
【００３９】
図１２は垂直設置用固定具１０に固定された筐体１を背面から見た斜視図である。図に
おいて、４１がＡＣアダプター、４２が筐体１と接続するためのケーブル、４３が外部電
源に接続される電源ケーブルである。
【００４０】
図１３は、筐体１を水平方向に設置した図である。図において、筐体１の左右に水平設
置用の固定具３１、固定具３２が取り付けられている。
【００４１】
図１４は、水平方向に４台の筐体１を取り付けた状態の図である。高さ方向の寸法Ｈは
、６台取り付けた状態の図１１と同じである。
【００４２】
以上説明したように、本実施の形態では、以下のような効果を有している。
【００４３】
・水平に設置するよりも高さ方向が少ないスペースで設置できるため、１９インチラック
の収納効率が良くなる。
【００４４】
・複数台の筐体１が１９インチラック内に同一高さで並列に設置できるため、保守時の筐
体の脱着が容易になる。
【００４５】
・筐体１を１台ずつ１９インチラックへ取り付ける必要がないため、ラック内への設置作
業が容易となる。
【００４６】
・筐体ストッパー２０を緩めてスライドさせるだけで筐体が取り外せるため、筐体の取り
外しが容易であり、保守作業が容易になる。
【００４７】
・筐体の近くにＡＣアダプター４１を収納できるため、接続ケーブルの長さを短くできる
。また外観も良くなる。
【００４８】
本発明は、上記説明した本実施の形態に限定されるものではない。さらに、上記実施形
態に開示されている複数の構成要素の適宜な組み合わせにより種々の発明を形成できる。
例えば、実施形態に示される全構成要素から幾つかの構成要素を削除してもよい。更に、
異なる実施形態に亘る構成要素を適宜組み合わせてもよい。
【符号の説明】
【００４９】
１・・・筐体、２，３・・・ラックの支柱、１０・・・垂直設置用固定具、１１・・・
底板、１４・・・ガイドレール、２０・・・ストッパー、３１，３２・・・水平設置用固
定具、４１・・・ＡＣアダプター
【図１】
2013254799.tif 000003
【図２】
2013254799.tif 000004
【図３】
2013254799.tif 000005
【図４】
2013254799.tif 000006
【図５】
2013254799.tif 000007
【図６】
2013254799.tif 000008
【図７】
2013254799.tif 000009
【図８】
2013254799.tif 000010
【図９】
2013254799.tif 000011
【図１０】
2013254799.tif 000012
【図１１】
2013254799.tif 000013
【図１２】
2013254799.tif 000014
【図１３】
2013254799.tif 000015
【図１４】
2013254799.tif 000016